(57)【要約】【課題】ピッチノイズを分散させてノイズ性能を向上させた、空気入りタイヤを提供する。【解決手段】複数の陸部１〜５のうち少なくとも一つが、タイヤ周方向に間隔を空けて複数のサイプ２０が設けられたリブにより形成されていて、複数のサイプ２０は、タイヤ幅方向の長さが異なる複数種類のサイプ２１、２２を含み、かつ、それぞれショルダー側端部とセンター側端部とを有し、複数のサイプ２０のうち、前記ショルダー側端部が最もセンター側に位置するサイプの前記ショルダー側端部におけるタイヤ幅方向位置を第１基準位置とし、前記センター側端部が最もショルダー側に位置するサイプの前記センター側端部におけるタイヤ幅方向位置を第２基準位置とするとき、前記第１基準位置及び前記第２基準位置のうち、一方では複数のサイプ２０がタイヤ周方向に等間隔で配置され、他方では複数のサイプ２０がタイヤ周方向に不等間隔で配置されている。【選択図】図１
2019209872.tif 000002
【特許請求の範囲】
【請求項１】
トレッド部を備える空気入りタイヤであって、前記トレッド部は、タイヤ周方向に延びる複数の主溝と、前記主溝で区画される複数の陸部とを備え、
前記複数の陸部のうち少なくとも一つが、タイヤ周方向に間隔を空けて複数のサイプが設けられたリブにより形成されていて、
前記複数のサイプは、タイヤ幅方向の長さが異なる複数種類のサイプを含み、かつ、それぞれショルダー側端部とセンター側端部とを有し、
前記複数のサイプのうち、前記ショルダー側端部が最もセンター側に位置するサイプの前記ショルダー側端部におけるタイヤ幅方向位置を第１基準位置とし、前記センター側端部が最もショルダー側に位置するサイプの前記センター側端部におけるタイヤ幅方向位置を第２基準位置とするとき、
前記第１基準位置及び前記第２基準位置のうち、一方では前記複数のサイプがタイヤ周方向に等間隔で配置され、他方では前記複数のサイプがタイヤ周方向に不等間隔で配置されていることを特徴とする、空気入りタイヤ。
【請求項２】
前記複数のサイプのうち、タイヤ幅方向の長さの最も大きい最長サイプにおいて、前記ショルダー側端部と前記センター側端部のうちの一方又は両方が、前記主溝に接続されている、請求項１に記載の空気入りタイヤ。
【請求項３】
前記複数のサイプのうち、タイヤ幅方向の長さの最も小さい最短サイプにおいて、前記ショルダー側端部又は前記センター側端部が、前記主溝に接続され、
前記最長サイプは、前記最短サイプが接続される前記主溝に接続されている、請求項２に記載の空気入りタイヤ。
【請求項４】
前記最短サイプ及び前記最長サイプの両方が前記主溝に接続される側のサイプ端部における、前記最短サイプのタイヤ幅方向に対する角度を第１角度とし、
前記最短サイプ及び前記最長サイプの両方が前記主溝に接続される側のサイプ端部における、前記最長サイプのタイヤ幅方向に対する角度を第２角度とし、
前記最長サイプの前記サイプ端部と反対側のサイプ端部における、前記最長サイプのタイヤ幅方向に対する角度を第３角度とするとき、
前記第３角度は前記第１角度及び前記第２角度よりも大きい、請求項３に記載の空気入りタイヤ。
【請求項５】
車両に対する装着の向きが指定されている空気入りタイヤであり、
前記リブの車両内側に面する主溝に接続される前記サイプの数が、前記リブの車両外側に面する主溝に接続される前記サイプの数よりも多い、請求項１乃至４のいずれか一項に記載の空気入りタイヤ。
【請求項６】
前記第１基準位置では前記複数のサイプがタイヤ周方向に等間隔で配置され、前記第２基準位置では前記複数のサイプがタイヤ周方向に不等間隔で配置されている、請求項１乃至５のいずれか一項に記載の空気入りタイヤ。
【請求項７】
前記複数のサイプのうち、タイヤ幅方向の長さの最も大きい最長サイプとタイヤ幅方向の長さの最も小さい最短サイプとでは、サイプ幅が異なる、請求項１乃至６のいずれか一項に記載の空気入りタイヤ。
【請求項８】
前記複数の陸部が、タイヤ幅方向最外側に位置するショルダー陸部と、そのショルダー陸部のセンター側に前記主溝を挟んで隣接し且つ前記リブにより形成されたクォーター陸部とを有し、
前記ショルダー陸部は、前記主溝に接続されたサイプと、前記主溝に接続されていない横溝とを有し、前記ショルダー陸部の前記サイプ及び前記横溝は、それぞれ前記クォーター陸部のサイプの仮想延長線上に位置する、請求項１乃至７のいずれか一項に記載の空気入りタイヤ。
【発明の詳細な説明】
【技術分野】
【０００１】
本発明は、トレッド部を備える空気入りタイヤに関するものである。
【背景技術】
【０００２】
従来、空気入りタイヤには、タイヤ周方向に延びる主溝で区画されるリブに、サイプと呼ばれる切り込みを多数形成されているものがある。リブにサイプを多数形成することでエッジ効果や除水効果を高め、氷雪路面や濡れた路面などでの走行性能を向上させることができる。例えば、下記特許文献１乃至３には、複数のサイプがタイヤ周方向に一定間隔で配置されたリブを有する空気入りタイヤが記載されている。
【０００３】
しかしながら、主溝で区画されるリブにサイプがタイヤ周方向に一定間隔で配置される場合、主溝とサイプとで挟まれた領域が疑似的なブロック（以下、「疑似ブロック」と呼ぶ）を形成し、該疑似ブロックの各々の大きさと形状が互いに等しくなるため、ピッチノイズと呼ばれる、疑似ブロックが接地する際の高周波の打撃音が大きくなる問題がある。
【先行技術文献】
【特許文献】
【０００４】
【特許文献１】国際公開第２０１６／１７７９７５号
【特許文献２】欧州特許第１９３７４９６号明細書
【特許文献３】特開平１１−３３４３２１号公報
【発明の概要】
【発明が解決しようとする課題】
【０００５】
本発明は上述のような問題点に鑑みて案出されたもので、ピッチノイズを分散させてノイズ性能を向上させた、空気入りタイヤを提供することを目的としている。
【課題を解決するための手段】
【０００６】
本発明は、上記目的を達成するために、以下の空気入りタイヤを案出した。
すなわち、トレッド部を備える空気入りタイヤであって、前記トレッド部は、タイヤ周方向に延びる複数の主溝と、前記主溝で区画される複数の陸部とを備え、
前記複数の陸部のうち少なくとも一つが、タイヤ周方向に間隔を空けて複数のサイプが設けられたリブにより形成されていて、
前記複数のサイプは、タイヤ幅方向の長さが異なる複数種類のサイプを含み、かつ、それぞれショルダー側端部とセンター側端部とを有し、
前記複数のサイプのうち、前記ショルダー側端部が最もセンター側に位置するサイプの前記ショルダー側端部におけるタイヤ幅方向位置を第１基準位置とし、前記センター側端部が最もショルダー側に位置するサイプの前記センター側端部におけるタイヤ幅方向位置を第２基準位置とするとき、
前記第１基準位置及び前記第２基準位置のうち、一方では前記複数のサイプがタイヤ周方向に等間隔で配置され、他方では前記複数のサイプがタイヤ周方向に不等間隔で配置されていることを特徴とする。
【０００７】
かかる構成により、タイヤ周方向に等間隔で配置された側の端部と不等間隔で配置された側の端部とで、タイヤ周方向におけるサイプ間隔が異なることになる。その結果、疑似ブロックの接地タイミングが、タイヤ幅方向によって異なることになり、ピッチノイズを分散させてノイズ性能を向上できる。さらに、タイヤ幅方向の長さが異なる複数種類のサイプを含むことで、ピッチノイズを分散する効果を適切に奏することができる。
【０００８】
上記において、「ショルダー側」はタイヤ幅方向外側を指し、「センター側」は、タイヤ幅方向内側を指す。また、サイプは切り込み幅が２ｍｍ以下、好ましくは１．６ｍｍ以下であるものを指す。本明細書において、複数のサイプがタイヤ周方向に等間隔で配置されることは、タイヤ周方向のサイプ間隔の差が０．９ｍｍ以内に収まることを表し、複数のサイプがタイヤ周方向に不等間隔で配置されることは、タイヤ周方向のサイプ間隔の差が０．９ｍｍを超えることを表す。
【０００９】
前記複数のサイプのうち、タイヤ幅方向の長さの最も大きい最長サイプにおいて、前記ショルダー側端部と前記センター側端部のうちの一方又は両方が、前記主溝に接続されていることが好ましい。これにより、最長サイプによる除水性能を高めるとともに、最長サイプ内のエアーを主溝に逃れやすくして、ポンピング音の発生を抑制することができる。
【００１０】
前記複数のサイプのうち、タイヤ幅方向の長さの最も小さい最短サイプにおいて、前記ショルダー側端部又は前記センター側端部が、前記主溝に接続され、
前記最長サイプは、前記最短サイプが接続される前記主溝に接続されていることが好ましい。これにより、最短サイプによる除水性能をさらに高めるとともに、最短サイプ内のエアーを主溝に逃れやすくして、ポンピング音の発生をさらに抑制することができる。
【００１１】
前記最短サイプ及び前記最長サイプの両方が前記主溝に接続される側のサイプ端部における、前記最短サイプのタイヤ幅方向に対する角度を第１角度とし、
前記最短サイプ及び前記最長サイプの両方が前記主溝に接続される側のサイプ端部における、前記最長サイプのタイヤ幅方向に対する角度を第２角度とし、
前記最長サイプの前記サイプ端部と反対側のサイプ端部における、前記最長サイプのタイヤ幅方向に対する角度を第３角度とするとき、
前記第３角度は前記第１角度及び前記第２角度よりも大きいことが好ましい。これにより、タイヤ周方向におけるサイプ間隔を効果的に異ならせることができ、ピッチノイズを分散する効果を適切に奏することができる。
【００１２】
車両に対する装着の向きが指定されている空気入りタイヤであり、
前記リブの車両内側に面する主溝に接続される前記サイプの数が、前記リブの車両外側に面する主溝に接続される前記サイプの数よりも多いことが好ましい。これにより、リブにおける車両内側の剛性を下げ、車両内側での接地長を大きくすることができ、空気入りタイヤのハンドリング性能を高めることができる。
【００１３】
前記第１基準位置では前記複数のサイプがタイヤ周方向に等間隔で配置され、前記第２基準位置では前記複数のサイプがタイヤ周方向に不等間隔で配置されていることが好ましい。これにより、空気入りタイヤのショルダー側よりも、センター側で生じるピッチノイズを重点的に分散させることができる。
【００１４】
前記複数のサイプのうち、タイヤ幅方向の長さの最も大きい最長サイプとタイヤ幅方向の長さの最も小さい最短サイプとでは、サイプ幅が異なることが好ましい。最長サイプのサイプ幅を最短サイプのサイプ幅と異ならせることで、さらにピッチノイズを分散させことができる。
【００１５】
前記複数の陸部が、タイヤ幅方向最外側に位置するショルダー陸部と、そのショルダー陸部のセンター側に前記主溝を挟んで隣接し且つ前記リブにより形成されたクォーター陸部とを有し、
前記ショルダー陸部は、前記主溝に接続されたサイプと、前記主溝に接続されていない横溝とを有し、前記ショルダー陸部の前記サイプ及び前記横溝は、それぞれ前記クォーター陸部のサイプの仮想延長線上に位置することが好ましい。これにより、ショルダー陸部に設けられるサイプ及び横溝に対して、クォーター陸部に設けられるサイプがタイヤ周方向にずれて配置されるため、ピッチノイズの分散効果が期待できる。また、サイプより幅の広い横溝を主溝に接続しないようにすることで、ショルダー陸部の過剰な剛性低下を防ぎ、偏摩耗を抑制することができる。
【図面の簡単な説明】
【００１６】
【図１】本発明に係る空気入りタイヤのトレッド面の一例を示す展開図
【図２Ａ】本実施形態のクォーター陸部及びその周辺領域を示す平面図
【図２Ｂ】他の実施形態のクォーター陸部及びその周辺領域を示す平面図
【図３】本実施形態のショルダー陸部、クォーター陸部及びその周辺領域を示す平面図
【発明を実施するための形態】
【００１７】
以下、本発明に係る空気入りタイヤにおける一実施形態について、図面を参照しながら説明する。なお、各図において、図面の寸法比と実際の寸法比とは、必ずしも一致しておらず、また、各図面の間での寸法比も、必ずしも一致していない。
【００１８】
図１は、本発明に係る空気入りタイヤのトレッド部１００の一実施形態を示す平面図である。トレッド部１００は、タイヤ周方向に延びる４本の主溝６〜９と、主溝６〜９で区画される５つの陸部1〜５とを備えている。５つの陸部１〜５は、ショルダー陸部１、クォーター陸部２、センター陸部３、クォーター陸部４及びショルダー陸部５からなる。ショルダー陸部１、５は、タイヤ幅方向最外側に位置し、接地端ＣＥ１、ＣＥ５と主溝６，９とで挟まれている。クォーター陸部２、４は、ショルダー陸部のセンター側に主溝６、９を挟んで隣接している。センター陸部３は、クォーター陸部２、４のセンター側に主溝７、８を挟んで隣接している。各陸部１〜５はタイヤ周方向に連続して延びるリブで構成され、各リブはタイヤ周方向に間隔を空けて複数のサイプが形成されている。主溝の延びる方向は、タイヤ周方向と完全に一致する必要は無い。主溝の本数は３本以上で、陸部の数は４つ以上のものが好ましい。陸部の数が４つである場合、センター陸部は設けない。
【００１９】
接地端ＣＥ１、ＣＥ５は、正規リムにリム組みして正規内圧と正規荷重を負荷したタイヤを平坦路面に接地させたときのタイヤ幅方向の最外位置である。正規リムとは、タイヤが基づいている規格を含む規格体系において、当該規格がタイヤ毎に定めるリムであり、例えばＪＡＴＭＡに規定される標準リム、ＴＲＡに規定される“Ｄｅｓｉｇｎ  Ｒｉｍ”、あるいはＥＴＲＴＯに規定される“Ｍｅａｓｕｒｉｎｇ  Ｒｉｍ”である。正規内圧とは、タイヤが基づいている規格を含む規格体系において、各規格がタイヤ毎に定めている空気圧であり、例えば、ＪＡＴＭＡに規定される最高空気圧、ＴＲＡの表“ＴＩＲＥ  ＬＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、あるいはＥＴＲＴＯに規定される“ＩＮＦＬＡＴＩＯＮＰＲＥＳ  ＳＵＲＥ”である。正規荷重とは、タイヤが基づいている規格を含む規格体系において、各規格がタイヤ毎に定めている荷重であり、例えば、ＪＡＴＭＡに規定される最大負荷能力、ＴＲＡの上記表に記載の最大値、あるいはＥＴＲＴＯに規定される“ＬＯＡＤ  ＣＡＰＡＣＩＴＹ”である。
【００２０】
クォーター陸部２は、タイヤ周方向に間隔を空けて複数のサイプ２０が設けられたリブにより形成されている。複数のサイプ２０は、タイヤ幅方向の長さが異なる複数種類のサイプを含んでおり、本実施形態では二種類のサイプ２１、２２を含んでいる。複数のサイプ２０は、それぞれ、タイヤ幅方向に沿って延びており、ショルダー側端部とセンター側端部とを有している。
【００２１】
図２Ａは、本実施形態のクォーター陸部２の説明図である。第１基準位置Ｓ１について説明する。第１基準位置Ｓ１は、複数のサイプ２０のうち、ショルダー側端部が最もセンター側に位置するサイプ２０のショルダー側端部２０Ｓにおけるタイヤ幅方向位置である。本実施形態の場合、全てのサイプのショルダー側端部が主溝６に接続されているため、第１基準位置Ｓ１は、全てのサイプのショルダー側端部２０Ｓと主溝６との交点におけるタイヤ幅方向位置となる。第２基準位置Ｃ１について説明する。第２基準位置Ｃ１は、複数のサイプ２０のうち、センター側端部が最もショルダー側に位置するサイプ２１のセンター側端部２１Ｃにおけるタイヤ幅方向位置である。
【００２２】
第１基準位置Ｓ１及び第２基準位置Ｃ１のうち、一方（本実施形態では第１基準位置Ｓ１）では複数のサイプ２０がタイヤ周方向に等間隔で配置されている。即ち、タイヤ周方向におけるサイプ間隔Ｘ１、Ｘ２、Ｘ３は実質的に互いに同じであり、これらの差は０．９ｍｍ以内に収まっている。また、第１基準位置Ｓ１及び第２基準位置Ｃ１のうち、他方（本実施形態では第２基準位置Ｃ１）では複数のサイプ２０がタイヤ周方向に不等間隔で配置されている。即ち、タイヤ周方向におけるサイプ間隔Ｙ１、Ｙ２、Ｙ３は実質的に互いに異なっており、これらの差は０．９ｍｍを超えている。
【００２３】
かかる構成によれば、第１基準位置Ｓ１と第２基準位置Ｃ１とで、タイヤ周方向におけるサイプ間隔が異なることになる。その結果、疑似ブロックの接地タイミングが、タイヤ幅方向によって異なることになり、ピッチノイズを分散させてノイズ性能を向上できる。また、タイヤ幅方向の長さが異なる複数種類のサイプ２１、２２を含むことで、ピッチノイズを分散する効果を適切に奏することができる。また、サイプ２１とサイプ２２との長さの違いは、さらなる疑似ブロックの形状・寸法の違いを生むため、さらなるピッチノイズの分散効果が得られる。本実施形態では、第１基準位置Ｓ１ではタイヤ周方向に等間隔でサイプ２０を配置し、第２基準位置Ｃ１ではタイヤ周方向に不等間隔でサイプ２０を配置していることにより、センター側で生じるピッチノイズを重点的に分散させることができる。
【００２４】
上記実施形態では、クォーター陸部２に設けられている全てのサイプ２０のショルダー端部が主溝６に接続されているが、これは必須の構成ではない。他の実施形態として、図２Ｂに、クォーター陸部２に設けられた複数のサイプ２０のうち、一部のサイプの端部が主溝に接続されていない場合を示す。この場合、第１基準位置Ｓ１及び第２基準位置Ｃ１は、共にクォーター陸部２上にある。
【００２５】
サイプを主溝に接続すると、サイプ内に流れ込んだ水やエアーが主溝に逃れやすくなるから、サイプを主溝に接続しない場合に比べて、除水性能を向上させ、ポンピング音の発生を抑制できるという効果が得られる。また、疑似ブロックの剛性を低下させ接地性を高めるという効果も得られる。サイプを主溝に接続しない場合は、サイプを主溝に接続する場合に比べ、疑似ブロックの剛性を向上させ、いわゆるサイプ間ヒールアンドトウ摩耗を小さくするという効果が得られる。よって、発現させたい効果に応じて、サイプ端部を主溝に接続させるか否かを決定すればよい。
【００２６】
複数のサイプ２０のうち、タイヤ幅方向の長さの最も大きい最長サイプにおいて、ショルダー側端部とセンター側端部のうちの一方又は両方が、主溝に接続されていることが好ましい。本実施形態では、最長サイプとしてのサイプ２２において、ショルダー側端部のみが主溝６に接続されている。これにより、最長サイプによる除水性能を高めるとともに、最長サイプ内のエアーを主溝に逃れやすくして、ポンピング音の発生を抑制することができる。
【００２７】
複数のサイプ２０のうち、タイヤ幅方向の長さの最も小さい最短サイプにおいて、ショルダー側端部とセンター側端部のうちの一方が、主溝に接続されていることが好ましい。本実施形態では、最短サイプとしてのサイプ２１において、ショルダー側端部のみが主溝６に接続されている。これにより、最短サイプによる除水性能をさらに高めるとともに、最短サイプ内のエアーを主溝に逃れやすくして、ポンピング音の発生をさらに抑制することができる。
【００２８】
本実施形態では、タイヤ幅方向の長さが異なるサイプとして、短いサイプ２１と長いサイプ２２の２種類のサイプが設けられているが、これに限られず、長さの異なる３種類以上のサイプが設けられていてもよい。また、本実施形態では、短いサイプ２１、短いサイプ２１及び長いサイプ２２の組み合わせがタイヤ周方向に繰り返し配置されているが、ランダムに配置されていてもよい。
【００２９】
図３は、図２Ａで示したクォーター陸部２における、サイプ２１とサイプ２２の端部における傾きを表している。最短サイプであるサイプ２１と最長サイプであるサイプ２２の両方が主溝に接続される側（即ち、ショルダー側）のサイプ端部における、サイプ２１のタイヤ幅方向に対する角度を第１角度θ１、サイプ２２のタイヤ幅方向に対する角度を第２角度θ２とする。そして、サイプ２２の前記サイプ端部（即ち、ショルダー側のサイプ端部）と反対側のサイプ端部（即ち、センター側のサイプ端部）における、サイプ２２のタイヤ幅方向に対する角度を第３角度θ３とする。本実施形態では、第３角度θ３が、第１角度θ１及び第２角度θ２よりも大きく、そうなるようにサイプ２２が湾曲している。このため、タイヤ周方向におけるサイプ間隔を効果的に異ならせ、ピッチノイズを分散する効果を適切に奏することができる。また、第１角度θ１と第２角度θ２とが等角度であってもよい。
【００３０】
ここで、第１角度θ１と第２角度θ２はそれぞれ３０度以下であることが好ましい。第１角度θ１又は第２角度θ２が大きいと、サイプと主溝とがなす鋭角部分においてリブの剛性が他の領域に比べて低下し、該鋭角部分が他の領域よりも優先的に摩耗することで、いわゆるサイプ間ヒールアンドトウ摩耗が生じやすくなる。しかしながら、第１角度θ１と第２角度θ２が３０度以下であるときは、リブの剛性低下が抑えられ、サイプ間ヒールアンドトウ摩耗の発生を抑制することができる。また、第３角度θ３は４５度以上であることが好ましい。これにより、第１角度θ１及び第２角度θ２と第３角度θ３との間に十分な角度差が設けられ、ピッチノイズを十分に分散できる。
【００３１】
本実施形態では、空気入りタイヤの車両に対する装着の向きが指定されており、そのうえで、クォーター陸部２であるリブの車両内側に面する主溝６に接続されるサイプ２０の数が、前記リブの車両外側に面する主溝７に接続されるサイプ２０の数よりも多い構成を備えている。これにより、リブにおける車両内側の剛性を下げ、車両外側に比べ接地性が低下しやすい車両内側での接地長を大きくすることができ、空気入りタイヤのハンドリング性能を高めるという有利な効果が得られる。但し、本発明の空気入りタイヤは、車両に対する装着の向きが指定されているものに限られない。
【００３２】
車両に対する装着の向きを指定する表示は、例えばサイドウォール部に設けられる。具体的には、車両装着時に車両外側に配置されるサイドウォール部の外表面に、車両外側となる旨の表示（例えば、ＯＵＴＳＩＤＥ）を設けることが考えられる。これに代えてまたは加えて、車両装着時に車両内側に配置されるサイドウォール部の外表面に、車両内側となる旨の表示（例えば、ＩＮＳＩＤＥ）を設けることが考えられる。
【００３３】
また、最短サイプであるサイプ２１と最長サイプであるサイプ２２とでは、サイプ幅が異なっている。最長サイプのサイプ幅を最短サイプのサイプ幅と異ならせることで、さらにピッチノイズを分散させことができる。本実施形態では、最長サイプであるサイプ２２が最短サイプであるサイプ２１よりも幅広に形成されており、ピッチノイズをより効果的に分散させることができる。サイプ２２の幅Ｗ２２は、例えば、サイプ２１の幅Ｗ２１の１．３倍以上である。
【００３４】
本実施形態では、ショルダー陸部１はサイプ１１と横溝１２とを有しており、サイプ１１と横溝１２とは、主溝６を挟んで隣り合うクォーター陸部２のサイプ２１、２２の仮想延長線６１上に位置している。このような位置関係にあるサイプは、主溝６のセンター側とショルダー側との間でタイヤ周方向にずれて配置されるため、ピッチノイズが分散される。また、主溝６を挟んでサイプが連続性を有する外観となるため、デザイン性にも優れている。ここで、サイプの仮想延長線は、そのサイプの幅中央を基準にして定めることができる。そして、ショルダー陸部１のサイプ１１及び横溝１２は、それぞれクォーター陸部２のサイプ２１、２２の仮想延長線６１上に完全に一致するように位置していなくても、それらが近接している場合、例えばタイヤ周方向における距離が３ｍｍ以内であれば、ショルダー陸部１のサイプ１１及び横溝１２は、それぞれクォーター陸部２のサイプの仮想延長線上に位置するものとする。また、横溝１２は、溝幅が２ｍｍを超えるものを指す。
【００３５】
本実施形態では、ショルダー陸部１の横溝１２は主溝６に接続していない。これは、横溝１２が、サイプより幅が広く、サイプよりもリブの剛性低下を生じさせ易いことに因る。横溝１２を主溝６に接続させないことで、ショルダー陸部１の過剰な剛性低下を防ぎ、ショルダー摩耗を抑制することができる。
【００３６】
上記実施形態では、主にクォーター陸部２におけるサイプの配置を例に説明したが、ショルダー陸部１、センター陸部３、クォーター陸部４またはショルダー陸部５においてもクォーター陸部２と同様のサイプの配置をしてもよい。ただし、上記実施形態のクォーター陸部２、４への適用は、ショルダー陸部１、５及びセンター陸部３への適用に比べ、ピッチノイズ分散効果をはじめとする上述の効果が、バランスよく好適に得られる。
【００３７】
本発明に係る空気入りタイヤは、トレッド部を上記の如く構成すること以外は、通常の空気入りタイヤと同等に構成でき、従来公知の材料、形状、構造、製法などは何れも採用できる。図示は省略するが、本実施形態の空気入りタイヤは、一対のビード部と、そのビード部の各々からタイヤ径方向外側に延びるサイドウォール部と、そのサイドウォール部の各々のタイヤ径方向外側端に連なるトレッド部とを備えている。
【００３８】
本発明は、上述した実施形態に何ら限定されるものではなく、本発明の趣旨を逸脱しない範囲内で種々の改良変更が可能である。
【符号の説明】
【００３９】
１…ショルダー陸部
２…クォーター陸部
３…センター陸部
４…クォーター陸部
５…ショルダー陸部
６〜９…主溝
１１、２０、２１、２２、２５、３１、４１、４２…サイプ
１２…横溝
【図１】
2019209872.tif 000003
【図２Ａ】
2019209872.tif 000004
【図２Ｂ】
2019209872.tif 000005
【図３】
2019209872.tif 000006